(57)【特許請求の範囲】
【請求項１】
一端側(1b)に開口部(2) を有した収納物飛散遊具本体(1a)内には、該本体(1a)の他端側(1c)より露出する引紐(3) の一端側が取付けられ、且つ巻きテープ等の収納物(4) を受けるための受体(5) が収納されてなり、しかも該受体(5) 又は前記本体(1a)の何れかには、前記引紐(3) の引張長に対応して該受体(5) を開口部(2) 側へと付勢するための付勢力を強くする付勢手段が設けられると共に前記受体(5) 又は引紐(3) の少なくとも何れか一方には、前記付勢手段を介しての付勢力が所定の値に達した際に受体(5) から引紐(3) を離脱又は分断させて開口部(2) より収納物(4) を受体(5) を介して飛び出させるための受体解放手段が設けられてなることを特徴とする収納物飛散遊具。
【請求項２】
一端側(1b)に開口部(2) を有した収納物飛散遊具本体(1a)内には、該本体(1a)の他端側(1c)より露出する引紐(3) の一端側が取付けられ、且つ巻きテープ等の収納物(4) を受けるための受体(5) が収納されてなり、しかも該受体(5) 又は前記本体(1a)の何れかには、前記引紐(3) の引張長に対応して該受体(5) を開口部(2) 側へと付勢するための付勢力を強くする付勢手段が設けられると共に前記受体(5) 、引紐(3) 、本体(1a)の何れかには、前記引紐(3) の引張長が所定の値に達した際に受体(5) から引紐(3) を離脱又は分断させて開口部(2) より収納物(4) を受体(5) を介して飛び出させるための受体解放手段が設けられてなることを特徴とする収納物飛散遊具。
【請求項３】
前記収納物(4) を開口部(2) より飛び出させた後の受体(5) 又は引紐(3) の少なくとも何れか一方が付勢手段と共に本体(1a)に残存する構成にしてなることを特徴とする請求項１又は２記載の収納物飛散遊具。
【請求項４】
前記受体(5) には、開口部(2) 側に向けて収納物(4) を該受体(5) に着脱自在に位置決め可能な収納物位置決め手段が設けられてなることを特徴とする請求項１乃至３の何れかに記載の収納物飛散遊具。
【請求項５】
前記受体(5) 又は本体(1a)の少なくとも何れか一方には、開口部(2) 側に向かう受体(5) を該開口部(2) 側へと直進性を付して案内するための案内手段が設けられてなることを特徴とする請求項１乃至４の何れかに記載の収納物飛散遊具。
【請求項６】
前記収納物(4) が、所定形状を有した生分解性樹脂材又は生分解性繊維材によって形成されてなることを特徴とする請求項１乃至５の何れかに記載の収納物飛散遊具。
【請求項７】
一端側(1b)に開口部(2) を有した筒状の収納物飛散遊具本体(1a)内には、該本体(1a)の他端側(1c)より露出する引紐(3) の一端側の抜け止め部(3a)が係止される係止部(5a)が設けられた巻きテープ等の収納物(4) の受体(5) が該収納物(4) と共に収納されてなり、しかも該受体(5) には前記本体(1a)の開口部(2) 近傍に一部位(6a)を固着された所定長のゴム体(6) の他部位(6b)が離脱不可に取付けられ、且つ開口部(2) 側には収納物(4) を着脱自在に位置決め可能な収納物位置決め部(5b)が設けられ、且つ前記係止部(5a)には引紐(3) の引張操作を介して受体(5) に生じる付勢力が所定の値に達した際に引紐(3) の一端側を受体(5) より離脱可能とするための引紐離脱部(7) が設けられてなることを特徴とする収納物飛散遊具。
【発明の詳細な説明】
【０００１】
【発明の属する技術分野】
本発明は、収納物飛散遊具に関し、更に詳しくは、室内外を問わず、野球場、サッカー場、ラグビー場等の比較的大きな場所や会場における各種試合、イベント、遊戯等の応援時等において最適に使用することが出来る収納物飛散遊具に関するものである。
【０００２】
【従来の技術】
従来、各種パーティー、宴会、イベント等においてクラッカーと呼ばれる遊具がその場を盛り上げるための手段として適宜用いられてなる。
【０００３】
【発明が解決しようとする課題】
しかしながら、上記クラッカーを、例えば室内外を問わず、野球場、サッカー場、ラグビー場等の比較的大きな場所や会場における各種試合、イベント、遊戯等の応援時等で用いた場合においては下記の様な問題点があった。
【０００４】
即ち、上記構成からなるクラッカーは、クラッカー本体内に収納された火薬体を爆発させることで小巻テープ等の収納物を飛散させるものであるが、如何せん、比較的大きな場所や会場等で小巻テープ等を目立たせるためには小巻テープ等を少しでも遠くに飛ばす必要がある。
【０００５】
よって、クラッカー本体内に収納される火薬体の量を単純に増加することにより、小巻テープ等の収納物の飛距離を若干はのばすことは出来るが爆発力や爆発音も必然的に大きくなる。
【０００６】
従って、例えば隣合わせにいる人や前後段にいる人との距離に余裕がない場合や身体の自由が拘束される様な場所にて使用した場合には、爆発音が使用者のみならず周囲の人の迷惑になるばかりか、増大した爆発力を介してクラッカー本体が破損し使用者や隣人に思わぬ怪我を生じさせる恐れもあり、又各種試合、スポーツ競技、イベント等の種類によっては爆発音が選手の集中力を妨げる原因ともなる。
【０００７】
よって、何れにしても火薬体を一切用いることなく安全に小巻テープ等の収納物を比較的大きな場所や会場等で目立つように少しでも遠くに飛ばすことが出来る全く新しい遊具の開発が急務であるという問題が生じていた。
【０００８】
而して、本発明は上記の問題を解決するものであり、誰でも簡単に、しかも火薬体を一切用いることなく安全に小巻テープ等の収納物を比較的大きな場所や会場等で目立つように遠くに飛ばすことが出来る極めて優れた収納物飛散遊具を提供することを課題とするものである。
【０００９】
【課題を解決するための手段】
本発明は、上記の課題を解決するために、全く新しい収納物飛散遊具を発明し、以下の手段を講じたものである。
【００１０】
即ち、本発明の請求項１における収納物飛散遊具は、一端側1bに開口部２を有した収納物飛散遊具本体1a内に、該本体1aの他端側1cより露出する引紐３の一端側が取付けられ、且つ巻きテープ等の収納物４を受けるための受体５が収納されてなり、しかも該受体５又は前記本体1aの何れかには、前記引紐３の引張長に対応して該受体５を開口部２側へと付勢するための付勢力を強くする付勢手段が設けられると共に前記受体５又は引紐３の少なくとも何れか一方には、前記付勢手段を介しての付勢力が所定の値に達した際に受体５から引紐３を離脱又は分断させて開口部２より収納物４を受体５を介して飛び出させるための受体解放手段が設けられてなることから、引紐３を引っ張るだけで、誰でも簡単に、しかも火薬体を一切用いることなく安全に小巻テープ等の収納物４を比較的大きな場所や会場等で目立つように遠くに飛ばすことが出来るという利点を有する。
【００１１】
更に、請求項２における収納物飛散遊具は、一端側1bに開口部２を有した収納物飛散遊具本体1a内に、該本体1aの他端側1cより露出する引紐３の一端側が取付けられ、且つ巻きテープ等の収納物４を受けるための受体５が収納されてなり、しかも該受体５又は前記本体1aの何れかには、前記引紐３の引張長に対応して該受体５を開口部２側へと付勢するための付勢力を強くする付勢手段が設けられると共に前記受体５、引紐３、本体1aの何れかには、前記引紐３の引張長が所定の値に達した際に受体５から引紐３を離脱又は分断させて開口部２より収納物４を受体５を介して飛び出させるための受体解放手段が設けられてなることから、この場合であっても、引紐３を引っ張るだけで、誰でも簡単に、しかも火薬体を一切用いることなく安全に小巻テープ等の収納物４を比較的大きな場所や会場等で目立つように遠くに飛ばすことが出来るという利点を有する。
【００１２】
更に、請求項３における収納物飛散遊具は、収納物４を開口部２より飛び出させた後の受体５又は引紐３の少なくとも何れか一方が付勢手段と共に本体1aに残存する構成にしてなることから、使用後に生じる塵の散乱を最少限にとどめることが可能になるという利点を有する。
【００１３】
又、請求項４における収納物飛散遊具は、受体５に、開口部２側に向けて収納物４を該受体５に着脱自在に位置決め可能な収納物位置決め手段が設けられてなることから、例え収納物４が一巻きの小巻テープや複数の小巻テープ等であった場合でも、本体1a内での小巻テープの移動や解け等を防止することが出来るだけでなく、使用時に開口部２を下方に向けて引紐３を引っ張った場合であっても、受体５に位置決めされた収納物４を該受体５を介して効率良く、且つ確実に遠くに飛ばすことが出来るという利点を有する。
【００１４】
更に、請求項５における収納物飛散遊具は、受体５又は本体1aの少なくとも何れか一方に、開口部２側に向かう受体５を該開口部２側へと直進性を付して案内するための案内手段が設けられてなることから、付勢されて開口部２側に向かう受体５に余分な移動ロスを生じさせることなく一直線に開口部２側へと該受体５を移動させることが可能となり、しいては収納物発射速度を最大限に効率良く確保することが出来、よって収納物４の飛距離を最大限にのばすことが出来るという利点を有する。
【００１５】
更に、請求項６における収納物飛散遊具は、収納物４が、所定形状を有した生分解性樹脂材又は生分解性繊維材によって形成されてなることから、屋外で使用した場合において、例え収納物４が地面、土中、海中等に捨てられて回収されなかった時でも収納物４を自然分解させて消滅させることが出来るという利点を有する。
【００１６】
更に、請求項７における収納物飛散遊具は、一端側1bに開口部２を有した筒状の収納物飛散遊具本体1a内に、該本体1aの他端側1cより露出する引紐３の一端側の抜止部3aが係止される係止部5aが設けられた巻きテープ等の収納物４の受体５が該収納物４と共に収納されてなり、しかも該受体５には前記本体1aの開口部２近傍に一部位6aを固着された所定長のゴム体６の他部位6bが離脱不可に取付けられ、且つ開口部２側には収納物４を着脱自在に位置決め可能な収納物位置決め部5bが設けられ、且つ前記係止部5aには引紐３の引張操作を介して受体５に生じる付勢力が所定の値に達した際に引紐３の一端側を受体５より離脱可能とするための引紐離脱部７が設けられてなることから、火薬体を一切用いることなく安全に、しかも引紐３を引っ張るだけで簡単に小巻テープ等の収納物４を比較的大きな場所や会場等で目立つように遠くに飛ばすことが出来る収納物飛散遊具を極めて安価に製造して提供することが出来るという利点を有する。
【００１７】
【発明の実施の形態】
＜第一実施形態＞
以下、本発明の一実施形態を図面に従って説明する。
図１及び２に於いて、１は厚紙を用いて片手で把持可能な大きさに、且つ所定の長さを有して略円筒状に形成された収納物飛散遊具を示すと共に、1aは収納物飛散遊具本体を示し、該本体1aは一端側1bに開口部２を有すると共に該開口部２には発泡樹脂材を用いて形成された円盤状の離脱蓋８が圧入着され、しかも他端側1cには他端から所定の寸法で本体1a内に折り返えされた折り返し部1dを介して後述する引紐３の引紐露出用孔1eが設けられてなる。
【００１８】
尚、上記本体1a内には、光輝性を有した一巻きの帯状色付巻きテープからなる収納物４の受体５が該収納物４と共に収納され、且つ該受体５は本体1aの内径と略同等か又は若干小さい直径を有した円盤状に形成され、しかも受体５の外周に対峙して設けられた切込溝部5cの夫々には、前記本体1aの開口部２周縁に対峙して設けられた切り欠き部2aの夫々に一部位6aの夫々を本体1a外周側から本体1a内側に向かって引っ掛けると共に、前記開口部２の周縁に巻着された粘着テープ９を介して該一部位6aを開口部２の周縁に離脱不可となるべく固着された２本の環状のゴム体（付勢手段）６の他部位6bの夫々が、該受体５を吊り下げ状態で、しかも開口部２側へと付勢可能とすべく離脱不可に圧入されてなる。
【００１９】
更に、上記受体５の本体1a開口部２側（一端側1b) には前記収納物４を着脱自在に位置決め可能な様に挾持すべく開口部２側に向かって夫々の上端側が接近状態に傾斜した一対のアーチ状立片を用いた収納物位置決め部5bが設けられ、しかも該受体５の本体1a他端側1cには、前記引紐３の一端が締結されて形成された抜止部3aが挿入されて抜け止め係止されるべく略Ｃ字状に切り欠かれた引紐３の係止部5aを備えた突出片10が隙間の部分を前記他端側1cに位置するように設けられてなる。
【００２０】
尚、上記突出片10に設けられた係止部5aの隙間は、引紐３の引張操作によりゴム体６を介して受体５に生じる付勢力が所定の値に達した際に引紐３の一端側が変形（縮径）して受体５より離脱することで本体1aの開口部２より収納物４を受体５を介して飛び出させるための受体解放手段としての引紐離脱部７を構成すべく予め所定の隙間寸法に設定されてなるものである。
【００２１】
更に、図２（ロ）に示す様に、受体５の収納物位置決め部5bは収納物４を着脱自在に位置決め可能な様に挾持するが、この時収納物４である帯状色付巻きテープの終端部4aも収納物位置決め部5bによって解けることなく巻装状態を維持することとなる。
【００２２】
本実施形態に係る収納物飛散遊具は以上の構成からなるが、次に係る収納物飛散遊具を使用する場合について説明する。
【００２３】
先ず、図３（イ）に示す様に、上記構成からなる収納物飛散遊具本体1aを片手で把持し、その後該本体1aの他端側1cの折り返し部1dに設けられた引紐露出用孔1eより本体1a外に露出してなる引紐３を引っ張る（矢印Ａ）ことにより、本体1a内の受体５は、引紐３の一端側の抜止部3aが係止される係止部5aにかかる引張力を介して引紐３の引張長に対応し該受体５を開口部２側へと付勢するための付勢力を強くする２本の環状のゴム体６の伸びによって引紐３の引張長と同じ距離分他端側1cへと移動（矢印Ｂ）することになる。
【００２４】
尚、前記受体５には、本体1aの開口部２近傍に一部位6aを固着された２本の環状のゴム体６の他部位6bが離脱不可に取付けられると共に開口部２側には帯状色付巻きテープからなる収納物４を着脱自在に位置決め可能な収納物位置決め部5bが設けられ、且つ前記係止部5aには引紐３の引張操作を介して受体５に生じる付勢力が所定の値に達した際に引紐３の一端側を受体５より離脱可能とするための引紐離脱部７が設けられてなることから、同図（ロ）の様に、引紐３の引張操作（矢印Ｃ）によりゴム体６を介して受体５に生じる付勢力が所定の値に達した際に引紐３の一端側が変形（縮径）し受体５より離脱することで本体1aの開口部２側へと受体５は瞬時に移動（矢印Ｄ）し、ゴム体６による付勢力を介して開口部２に圧入着された離脱蓋８及び帯状色付巻きテープからなる収納物４の夫々を開口部２より火薬体を一切用いることなく安全に、しかも引紐３を引っ張るだけで簡単に、且つ遠くに飛ばすことが出来る利点がある。
【００２５】
よって、比較的大きな場所や会場等であっても収納物４を目立つように遠くに飛ばすことが出来るだけでなく、構造が極めて簡単で、しかも構成材料も極めて安価なものを用いることから、製品単価を抑えた収納物飛散遊具を量産し市場に広く普及させることが出来るという利点をも有することになる。
【００２６】
＜第二実施形態＞
尚、上記実施形態において、受体５を開口部２側へと付勢するための付勢手段には、２本の環状のゴム体６が用いられることにより安価に付勢手段を確保することができるという利点を有するものであるが、必ずしも付勢手段がゴム体６に限定されるものではなく、図４に示す様に、例えば、付勢手段が本体1a内の他端側1cに他端を取付け、しかも一端を受体５の収納物位置決め部5bが設けられた一面側と反対の他面側に取付けた所定長のスプリングバネ11で構成されていてもよい。
【００２７】
よって、この場合であっても、上記第一実施形態の如く引紐３を引張操作（矢印Ｆ）することで該スプリングバネ11を引紐３の引張長と同じ距離分他端側1cへと縮引（矢印Ｇ）させることにより受体５を開口部２側へと付勢することが可能となる。
【００２８】
更に、上記の如くスプリングバネ11を用いる場合において、該スプリングバネ11の一端側が本体1a内の一端側1bに取付けられ、且つ該他端側が受体５の収納物位置決め部5bが設けられた一面側に取付けられた構成（図示せず）であってもよく、この場合には引紐３を引張操作することによってスプリングバネ11が引紐３の引張長と同じ距離分他端側1cへと引伸ばされることにより受体５を開口部２側へと付勢することが出来る。
【００２９】
従って、上記前者及び後者何れの場合であっても引紐３の引張長に対応して該受体５を開口部２側へと付勢するための付勢力を強くすることが可能となり、よって引紐３を引っ張るだけで、誰でも簡単に、しかも火薬体を一切用いることなく安全に小巻テープ等の収納物４を比較的大きな場所や会場等で目立つように遠くに飛ばしうるための付勢力を簡単に得ることが出来る利点があるが付勢手段の具体的な材質、取付け場所及び構造等も限定されないのは言うまでもない。
【００３０】
＜第三実施形態＞
更に、上記各実施形態において、受体５の本体1a他端側1cには、引紐３の一端が締結されて形成された抜止部3aが挿入されて抜け止め係止されるべく略Ｃ字状に切り欠かれた引紐３の係止部5aを備えた突出片10が隙間の部分を前記他端側1cに位置するように設けられ、しかも該突出片10に設けられた係止部5aの隙間は、引紐３の引張操作を介して受体５に生じる付勢力が所定の値に達した際に引紐３の一端側が変形（縮径）して受体５より離脱することで本体1aの開口部２より収納物４を受体５を介して飛び出させるための受体解放手段としての引紐離脱部７が設けられてなるが、必ずしも受体解放手段が上記構成に限定されるものではなく、例えば、図５（イ）に示す様に、受体解放手段が引紐３の抜止部3aが抜け止め係止可能な係止部5aを備えたフック体10a からなり、しかも該フック体10a を引紐３の引張操作を介して受体５から引きちぎるように分離（図示せず）させたり、又引紐３の引張操作を介してフック体10a の開口部位を拡げるように係止部5aを変形（図示せず）させることにより受体５から引紐３を離脱する構成であってもよく、この場合でも引紐３の引張長に対応して該受体５を開口部２側へと付勢するための付勢力を強くすることが可能になるという利点がある。
【００３１】
更に、受体解放手段が、同図（ロ）に示すように、受体５の本体1a他端側1c方向に突出した突出片10b と、該突出片10b の先端部に回動自在に軸着され、且つ該突出片10b に固着されたコイルバネ10c を介して常に受体５側に付勢（矢印Ｈ）されると共に前記引紐３の抜止部3a（必ずしも締結する必要はなく、例えば熱溶融や薬剤等を介して一端側の紐径が大きくなる様に処理加工して抜止部3aを形成してもよく、要は一端側に係止部5aからの抜け止め処理や加工が施されていればよい。）を抜け止め係止するための係止部5aを備えた回動付勢片10d とで構成されていてもよく、この場合には引紐３の引張操作を介して受体５に生じる開口部２側方向への付勢手段を介しての付勢力が、回動付勢片10d の受体５側への付勢力より勝った時点で回動付勢片10d が受体５側の付勢方向とは逆方向（図示せず）に開くことで引紐３が受体５の係止部5aより離脱することとなり、その結果、本体1aの開口部２より収納物４を受体５を介して飛び出させることが出来、よってこの構造であっても引紐３の引張長に対応して該受体５を開口部２側へと付勢するための付勢力を強くすることが出来る構造上の利点がある。
【００３２】
又、同図（ハ）に示すように、受体解放手段が、受体５の本体1a他端側1c方向に突出した閉塞環10e と、該閉塞環10e の係止部5aに抜止部3aを抜け止め係止される第一引紐3bと、該第一引紐3bの抜止部3aとは反対側の端部に、本体1a他端側1cより露出する第二引紐3cの一端側を接続するための粘着テープや挾持部材等の接続体11とから構成されていてもよく、この場合には引紐３の引張操作を介して受体５に生じる開口部２側方向への付勢力が、接続体11を介しての第一引紐3bと第二引紐3cとの接続力より勝った際に第一引紐3bと第二引紐3cとから構成された一本の引紐３が結果として分断されることとなり、その結果として引紐３が受体５の係止部5aより離脱して本体1aの開口部２より収納物４を受体５を介して飛び出させることが出来、よってこの構造であっても引紐３の引張長に対応して該受体５を開口部２側へと付勢するための付勢力を強くすることが出来る構造上の利点がある。
【００３３】
尚、上記の如く第一引紐3bと第二引紐3cとを接続体11を介して接続し一本の引紐３とした場合において、例えば、図６に示すように、引紐３の引張操作（矢印Ｉ）を介して受体５に付勢力を付しつつ引っ張った（矢印Ｊ）際、前記接続体11が本体1aの他端側1cの引紐露出用孔1eが設けられた折り返し部1dに当接することで本体1aの他端側1c方向への移動が阻止され、その後更に引紐３を引っ張ることで接続体11から第二引紐3cを抜脱させ、結果として引紐３を分断することで受体５を介して本体1aの開口部２より収納物４を飛び出させることも可能であり、よってこの構造の場合には、引紐３の引張長が所定の値に達するまでは受体５を開口部２側へと付勢するための付勢力を引紐３の引張長に対応させて強くすることが出来るだけでなく、その後引紐３の引張長が所定の値に達した時点（接続体11が折り返し部1dと当接した時）で引紐３を分断させて受体５を開口部２側へと付勢し収納物４を受体５を介して飛び出させることが出来る構造上の利点がある。
【００３４】
よって、上記前者及び後者何れの場合であっても受体５から引紐３を離脱又は分断させて開口部２より収納物４を受体５を介して飛び出させるための受体解放手段が設けられ、しかも引紐３を引っ張るだけで誰でも簡単に、しかも火薬体を一切用いることなく安全に収納物４を比較的大きな場所や会場等で目立つように遠くに飛ばすことが出来るという利点を有するが、例えば受体解放手段が、引紐３の引張長が所定の値に達した際に該引紐３を切断することで分断すべく本体1a内に設けられた引紐切断刃（図示せず）等であってもよく、受体解放手段の具体的な構造も一切限定されないのは言うまでもない。
【００３５】
更に、上記各実施形態において、受体５は付勢手段に固着されてなることから、収納物４を開口部２より飛び出させた後の受体５を付勢手段と共に本体1aに残存することが出来、よって収納物飛散遊具１の使用後に生じる塵の散乱を最少限にとどめることが可能になるという利点を有するが、前記本体1a内に折り返えされた折り返し部1dに設けられた引紐３の引紐露出用孔1eの径を、例えば引紐３の抜止部3aより小さくすることで収納物飛散遊具の使用後に引紐３を本体1aに残存させることも可能であり、よってこの場合であっても収納物飛散遊具１の使用後に生じる塵の散乱を最少限にとどめることが可能になるという利点がある。
【００３６】
＜第四実施形態＞
更に、上記各実施形態において、受体５には、開口部２側に向けて収納物４を該受体５に着脱自在に位置決め可能な様に挾持すべく開口部２側に向かって夫々の上端側が接近状態に傾斜した一対のアーチ状立片を用いた収納物位置決め手段の一実施形態としての収納物位置決め部5bが設けられてなるが、必ずしも収納物位置決め手段が一対のアーチ状立片に限定されるものではなく、図７（イ）に示すように、収納物位置決め手段が小巻テープ等の収納物４を着脱自在に嵌入位置決め可能な如く受体５の開口部２側の一面側に設けられた凹状部で収納物位置決め部5bが形成されていてもよく、又同図（ロ）に示すように、収納物位置決め手段が小巻テープ等の収納物４を着脱自在に掴持可能なよう平面視放射状に拡縮自在（矢印Ｋ）な複数の可撓立片で収納物位置決め部5bが形成されていてもよく、要は受体５に収納物位置決め手段が設けられてなることにより、例え収納物４が各実施形態のように一巻きの小巻テープや複数の小巻テープ（図示せず）等であった場合でも、本体1a内での小巻テープの移動や解け等を防止することが出来るだけでなく、使用時に開口部２を下方に向けて引紐３を引っ張った場合であっても、受体５に位置決めされた収納物４を該受体５を介して効率良く、且つ確実に遠くに飛ばすことが出来るという利点のみならず収納物４が小巻テープであった場合において収納物飛散遊具の梱包時や輸送時に小巻テープが本体1a内で倒れることにより、小巻テープが帯状に解けることなく飛ばされて視覚を通じての美しさが欠如するのを防止して何時でも小巻テープを帯状に解けさせながら飛ばすことが出来る使用上の利点をも有するが、収納物位置決め手段の具体的な構造や配設箇所等も決して限定されるものではない。
【００３７】
＜第五実施形態＞
更に、上記各実施形態において、受体５は本体1aの内径と略同等か又は若干小さい直径を有した円盤状に形成され、しかも収納物４の飛散時には付勢手段を介して本体1a内を開口部２側へと勢いよく移動するものであるが、例えば、図８（イ）に示すように、受体５に、開口部２側に向かう受体５を該開口部２側へと直進性を付して案内する案内手段としての摺動スカート体12が設けられていてもよく、又、同図（ロ）に示すように、例えば、本体1aが樹脂材から形成され、且つ内周面に複数の溝13が該本体1aの長手方向に沿って設けられると共に本体1aの外周に前記溝13の夫々に摺動自在に嵌入可能な複数の突状部12a が設けられて案内手段を構成してもよく、更に、案内手段が、同図（ハ）に示すように、例えば、付勢手段にゴム体６を用いた場合において、受体５の外周に設けられる切込溝部5cを平面視放射状に配置することでゴム体６を介しての付勢力が受体５全面にかかるようにすることで受体５を傾斜させることなくスムーズに開口部２側へと直進性を付して案内する構成であってもよく、要は受体５又は本体1aの少なくとも何れか一方に、開口部２側に向かう受体５を該開口部２側へと直進性を付して案内するための案内手段が設けられた場合には、付勢されて開口部２側に向かう受体５に余分な移動ロスを生じさせることなく一直線に開口部２側へと該受体５を移動させることが可能となり、しいては収納物発射速度を最大限に効率良く確保することが出来、よって収納物４の飛距離を最大限にのばすことが出来るという利点を有することが出来る。
【００３８】
更に、上記各実施形態において、収納物４は光輝性を有した一巻きの帯状色付巻きテープが用いられてなるが、必ずしも収納物４が巻きテープに限定される必要はなく、複数の小巻テープ等であってもよく、収納物４の具体的な材質、数量、形状等も一切限定されないのは言うまでもないが、収納物４が所定形状を有した生分解性樹脂材又は生分解性繊維材によって形成されてなる場合には、収納物飛散遊具を屋外で使用した場合において、例え収納物４が地面、土中、海中等に捨てられて回収されなかった時でも収納物４を自然分解させて消滅させることが出来るという使用上の利点を有する。
【００３９】
更に、上記各実施形態において、収納物飛散遊具本体は厚紙を用いて片手で把持可能な大きさに、且つ所定の長さを有して略円筒状に形成され、しかも受体５は本体1aの内径と略同等か又は若干小さい直径を有した円盤状に形成された場合について説明したが、本発明における収納物飛散遊具本体の形状は、略円筒状に限定されるものではなく、略円錐形状、ビン形状や歪曲面を有した鐘状等であってもよく、更に材質も厚紙に限定されないのは言うまでもなく合成樹脂材によって一体成形されたものや複数の部材を組合わせて一体的に本体を形成した構成であってもよく、要は受体５を確実に開口部側へと付勢移動させて収納物を飛散させることが出来る構成であれば収納物飛散遊具本体のみならず受体５の材質、形状、大きさ等も決して限定されるものではない。
【００４０】
更に、本発明における収納物飛散遊具の組立て構成等も決して限定されるものではなく、更に収納された小巻テープの種類や数のみならず離脱蓋の形状、材質及び有無等も決して限定されるものではないが、受体５の収納物位置決め手段の有無や受体５又は引紐３の少なくとも何れか一方を付勢手段と共に本体1aに残存する構成の有無も決して本発明の必須の要件でないのは言うまでもない。
【００４１】
【発明の効果】
叙上の様に、本発明における収納物飛散遊具は、一端側に開口部を有した収納物飛散遊具本体内に、該本体の他端側より露出する引紐の一端側が取付けられ、且つ巻きテープ等の収納物を受けるための受体が収納されてなり、しかも該受体又は前記本体の何れかには、前記引紐の引張長に対応して該受体を開口部側へと付勢するための付勢力を強くする付勢手段が設けられると共に前記受体又は引紐の少なくとも何れか一方には、前記付勢手段を介しての付勢力が所定の値に達した際、又は受体、引紐、本体の何れかには、前記引紐の引張長が所定の値に達した際の何れかに受体から引紐を離脱又は分断させて開口部より収納物を受体を介して飛び出させるための受体解放手段が設けられてなることから、引紐を引っ張るだけで、誰でも簡単に、しかも火薬体を一切用いることなく安全に小巻テープ等の収納物を比較的大きな場所や会場等で目立つように遠くに飛ばすことが可能となる。
【００４２】
よって、室内外を問わず、野球場、サッカー場、ラグビー場等の比較的大きな場所や会場における各種試合、イベント、遊戯等の応援時等で用いた場合のみならず、例え隣合わせにいる人や前後段にいる人との距離に余裕がない場合や身体の自由が拘束される様な場所にて使用した場合であっても、火薬体を一切使用することがないので爆発音が使用者のみならず周囲の人の迷惑になったり、爆発力を介して本体が破損し使用者や隣人に思わぬ怪我を生じさせる恐れもなく、又各種試合、スポーツ競技、イベント等で使用しても爆発音によって選手の集中力が妨げられる恐れも一切なく、収納された小巻テープ等の収納物を比較的大きな場所や会場等であっても飛距離をのばして目立つように飛散させて遠くまで飛ばすことが出来る付加価値を有した収納物飛散遊具を提供することが出来るという格別な効果を有するに至った。
【図面の簡単な説明】
【図１】本発明における収納物飛散遊具の一部切り欠き斜視図。
【図２】本発明の収納物飛散遊具の要部を示し、（イ）は一部省略分解図，（ロ）は受体の正面図。
【図３】本発明における収納物飛散遊具の使用状態を示し、（イ）は引紐の引張操作時の一部切り欠き斜視図，（ロ）は受体解放時の一部切り欠き斜視図。
【図４】収納物飛散遊具の他の実施形態を示す一部切り欠き斜視図。
【図５】収納物飛散遊具の受体解放手段の他の実施形態を示し、（イ），（ロ），（ハ）は受体の正面図。
【図６】収納物飛散遊具の受体解放手段の他の実施形態を示す一部切り欠き斜視図。
【図７】収納物飛散遊具の収納物位置決め手段の他の実施形態を示し、（イ）は受体の斜視図，（ロ）は受体の正面図。
【図８】収納物飛散遊具の案内手段の他の実施形態を示し、（イ），（ロ）は一部省略要部断面図，（ハ）は受体の平面図。
【符号の説明】
１…収納物飛散遊具
1a…収納物飛散遊具本体
２…開口部
３…引紐
４…収納物
５…受体
【図１】
0003865493.tif 000002
【図２】
0003865493.tif 000003
【図３】
0003865493.tif 000004
【図４】
0003865493.tif 000005
【図５】
0003865493.tif 000006
【図６】
0003865493.tif 000007
【図７】
0003865493.tif 000008
【図８】
0003865493.tif 000009